【手続補正書】
【提出日】平成25年4月9日(2013.4.9)
【手続補正１】
【補正対象書類名】明細書
【補正対象項目名】００２３
【補正方法】変更
【補正の内容】
【００２３】
再生装置１Ａ、１Ｂ、１Ｃは、例えば音楽コンテンツの再生部やスピーカ部等を備え、それぞれ独自に音楽等の再生を行うことができる機器である。
再生装置１Ａ、１Ｂ、１Ｃは、コンテンツデータを、ハードデイスクドライブ（ＨＤＤ：Hard Disk Drive）、フラッシュメモリ、複数枚の光デイスク、例えばＣＤ（Compact Disc），ＤＶＤ（Digital Versatile Disc）、ＢＤ（Blu-ray Disc（登録商標））等を収納した交換型光デイスクプレーヤなどから再生する。
そして再生した音楽コンテンツデータを、内蔵スピーカや接続されたスピーカ等から出力できる。
その一方で、再生装置１Ａ、１Ｂ、１Ｃは、ネットワーク４で各機器と通信可能とされることで、サーバ装置又はクライアント装置として機能できる。即ち再生装置１Ａ、１Ｂ、１Ｃは、サーバ装置として、ネットワーク４上の他の装置に対して再生した音楽コンテンツデータを配信することができる。また再生装置１Ａ、１Ｂ、１Ｃは、クライアント装置として、ネットワーク４上の他の装置がサーバとなったときに配信されてくる音楽コンテンツデータ等を受信することができる。
【手続補正２】
【補正対象書類名】明細書
【補正対象項目名】００２７
【補正方法】変更
【補正の内容】
【００２７】
また、各装置（再生装置１Ａ、１Ｂ、１Ｃ、ネットワークスピーカ２Ａ、２Ｂ、２Ｄ１、２Ｄ２）は、それぞれ他の装置がどの部屋に設置されているかを認識できているものとする。例えば再生装置１Ａは同じ部屋Ａにネットワークスピーカ２Ａが存在することや、再生装置１Ｂ、ネットワークスピーカ２Ｂが部屋Ｂに設置されていること等を認識している。
これは各機器を設置した時にユーザが各機器の部屋（ゾーン）を設定することで可能である。
また、無線機能が搭載されたタッチパネルで操作可能なＧＵＩ（グラフィックユーザインターフェース）付きのリモートコントローラＲＣ１にも、予め各部屋にどのような機器が配置されていることを登録しておくようにしておく。
【手続補正３】
【補正対象書類名】明細書
【補正対象項目名】００２８
【補正方法】変更
【補正の内容】
【００２８】
本発明の制御装置は、このような動作状況において多様なケースのユーザ操作に応じた制御コマンドを発生させる装置である。
上述のように、或る部屋に居るユーザが、機器に対する操作を行おうとする場合としては、例えば電源のオン、オフ、再生開始、再生停止、曲の変更、音量のアップ／ダウン、消音（ミュート）などを行うことがある。そしてその場合、操作による制御対象として、
・第１のケース：自分の居る部屋にある特定の一の装置のみを対象としたい場合
・第２のケース：自分の居る部屋など、或る部屋内の全ての装置を対象としたい場合
・第３のケース：ネットワーク上の全装置を対象としたい場合
がある。
本発明の制御装置は、これらの各ケースに応じたユーザ操作を実現し、所要の制御コマンドを発生させる装置である。
後述する第１の実施の形態では、リモートコントローラＲＣ２と再生装置１Ｂの組み合わせにより本発明の制御装置が実現される例を説明する。
第２の実施の形態では、リモートコントローラＲＣ２により本発明の制御装置が実現される例を説明する。
第３の実施の形態では、表示及びタッチパネル機能付きのリモートコントローラＲＣ１により本発明の制御装置が実現される例を説明する。
【手続補正４】
【補正対象書類名】明細書
【補正対象項目名】００５６
【補正方法】変更
【補正の内容】
【００５６】
制御部４１には、そのソフトウエアプログラムによって実現される機能構成として、コマンド読出部４１ａ、表示制御部４１ｂ、入力検知部４１ｃが形成される。
入力検知部４１ｃは、位置検出部４７からのタッチ位置の情報を認識し、そのタッチ位置、或いはタッチ操作の軌跡により、ユーザの求める操作内容を判定する。
コマンド読出部４１ａは、入力検知部４１ｃが判定した操作内容に応じてコマンドメモリ４２からコマンドコードを読み出し、コマンド送信部４３に供給する。
表示制御部４１ｂは、表示部４５での表示内容とする表示データを表示駆動部４４に供給する。例えば操作アイコン表示や機器アイコンなどを表示部４５で実行させる表示データを生成する。また、表示制御部４１ｂは、場合によっては入力検知部４１ｃで検知されたタッチ位置やタッチ操作の軌跡を、表示画面上に示すような表示を行わせることも可能である。
【手続補正５】
【補正対象書類名】明細書
【補正対象項目名】００９２
【補正方法】変更
【補正の内容】
【００９２】
ステップＦ２０３の待機中に、パルスエッジ回数がカウントされる。そこで制御部４１はステップＦ２０４，Ｆ２０５，Ｆ２０６では、カウントされたエッジ回数から操作回数を判定する。図８からわかるように、エッジカウント値が１回であれば、単押し、３回であれば２回押し、５回であれば３回押しと判定する。
以上のステップＦ２０２〜Ｆ２０６が操作回数判定部４１ｄによって行われる動作となる。
【手続補正６】
【補正対象書類名】明細書
【補正対象項目名】０１３３
【補正方法】変更
【補正の内容】
【０１３３】
ステップＦ３０６で、起点Ｓ１から終点Ｅ１までの長さの値が所定値以下であれば、単装置モードの操作である可能性がある。この場合、制御部４１はステップＦ３０８に進み、起点Ｓ２から終点Ｅ２までの長さと上記所定値とを比較する。
そして起点Ｓ２から終点Ｅ２までの長さも上記所定値以下であれば、部屋対応領域全体の操作ではないと判断し、制御部４１はステップＦ３１２に進む。そしてそのタッチ操作の軌跡が或る機器アイコンｉ１Ａ、ｉ２Ａ、ｉ１Ｂ、ｉ２Ｂ、ｉ１Ｃ、ｉ２Ｄ１、ｉ２Ｄ２のいずれかの上にあるか否かを判定する。即ち×状のタッチ位置のＸ−Ｙ座標での軌跡と、図１６に示したＸ−Ｙ座標上の表示領域（ＡＲｉ１Ａ、ＡＲｉ２Ａ、ＡＲｉ１Ｂ、ＡＲｉ２Ｂ、ＡＲｉ１Ｃ、ＡＲｉ２Ｄ１、ＡＲｉ２Ｄ２）を比較する。
そしてタッチ操作の軌跡が或る機器アイコン上、つまりＸ−Ｙ座標の表示領域（ＡＲｉ１Ａ、ＡＲｉ２Ａ、ＡＲｉ１Ｂ、ＡＲｉ２Ｂ、ＡＲｉ１Ｃ、ＡＲｉ２Ｄ１、ＡＲｉ２Ｄ２）のいずれか１つの上にある場合は、単装置モードの操作であったと判断する。この場合制御部４１はステップＦ３１３で、当該機器アイコンに相当する装置を制御対象とし、その装置に対しての消音コマンドを送信出力する。例えば図１９の場合に相当する。
【手続補正７】
【補正対象書類名】明細書
【補正対象項目名】０１３４
【補正方法】変更
【補正の内容】
【０１３４】
なお、ステップＦ３０７で起点Ｓ２から終点Ｅ２までの長さの値が所定値以下と判断される場合は、ユーザが×状のタッチ操作を行わなかった場合である。
またステップＦ３０８で起点Ｓ２から終点Ｅ２までの長さの値が所定値より大きいと判断された場合も、ユーザが×上のタッチ操作を行わなかった場合である。
これらは、×字の片方が長くて他方が短く、「×」のタッチパターンとならなかった場合となる。
また、ステップＦ３１２で、×状の軌跡が機器アイコン上でないと判定される場合は、ユーザが、表示面上で、機器アイコンがなされていない部分で×状のタッチ操作を行った場合である。
これらの場合は無効な操作として処理を抜ける。
【手続補正８】
【補正対象書類名】明細書
【補正対象項目名】０１３８
【補正方法】変更
【補正の内容】
【０１３８】
尚、この場合に書き順やレ状の形に関しては拘らないでもよい。
例えば起点Ｓ１、中点Ｍ１、終点Ｅ１が、それぞれ第２象限、第４象限、第１象限となる場合、又はそれぞれ第１象限、第４象限、第２象限となる場合、又はそれぞれ第２象限、第３象限、第１象限となる場合なども、適正なタッチパターン操作としてもよい。
【手続補正９】
【補正対象書類名】明細書
【補正対象項目名】０１４８
【補正方法】変更
【補正の内容】
【０１４８】
ステップＦ４０５で、レ状の軌跡が、複数の機器アイコン上となっていなければ、制御部４１はステップＦ４０６に進み、レ状の軌跡が、１つの機器アイコン上であるか否かを確認する。
そしてレ状の軌跡が或る１つの機器アイコン上である場合は、単装置モードの操作と判断し、制御部４１はステップＦ４０８で、当該機器アイコンに相当する装置を制御対象として、その装置に対しての消音コマンドを送信出力する。例えば図２３の場合に相当する。
【手続補正１０】
【補正対象書類名】明細書
【補正対象項目名】０１５０
【補正方法】変更
【補正の内容】
【０１５０】
制御部４１が以上の図２４のような処理を行うことで、レ字状のタッチパターン操作を第１，第２，第３のケースの消音操作として認識し、対象となる装置に消音コマンドを送信できる。
なお、部屋内モードか単装置モードかの判断処理では、１又は複数の機器アイコンと軌跡の重複の判断のほか、レ状の軌跡の大きさや、機器アイコン上でのレ状の重畳度合いなどで判断することもできる。
【手続補正１１】
【補正対象書類名】明細書
【補正対象項目名】０１５２
【補正方法】変更
【補正の内容】
【０１５２】
図２５，図２６，図２７は音量ダウンのタッチパターン操作を示している。
図２５は、ユーザが指によりほぼ画面全体にわたって、水平方向に移動しながら下降する曲線状の操作（以下「下降曲線操作」という）を行った場合を示している。このタッチ操作として、ユーザは起点Ｓ１から終点Ｅ１まで下降曲線を描くが、その曲率は、実線、一点鎖線、破線のようにユーザの任意である。
リモートコントローラＲＣ１の制御部４１は、この下降曲線操作を全体モードの操作と認識する。そしてネットワーク上の全装置を対象として音量ダウン制御コマンドを送信出力する。特に、下降曲線の曲率は、低下させる制御量とする。即ち曲率に応じた音量低下度合いを指示するコマンドを送信する。
例えば図の実線のように下降曲線が緩やかなときは音量ダウンの制御量を２０％、一点鎖線のように中間的な曲率の時は５０％、破線のように急峻な下降曲線のときは８０％などとする。なお、ここでいう％は、各装置のそれぞれの現在の音量レベルを基準としての音量低下率と考えればよい。
【手続補正１２】
【補正対象書類名】明細書
【補正対象項目名】０１５５
【補正方法】変更
【補正の内容】
【０１５５】
図２８，図２９，図３０は音量アップのタッチパターン操作を示している。
図２８は、ユーザが指によりほぼ画面全体にわたって、水平方向に移動しながら上昇する曲線状の操作（以下「上昇曲線操作」という）を行った場合を示している。このタッチ操作として、ユーザは起点Ｓ１から終点Ｅ１まで上昇曲線を描くが、その曲率は、実線、一点鎖線、破線のようにユーザの任意である。
リモートコントローラＲＣ１の制御部４１は、この上昇曲線操作を全体モードの操作と認識する。そしてネットワーク上の全装置を対象として音量アップ制御コマンドを送信出力する。特に、上昇曲線の曲率は、上昇させる制御量とする。即ち曲率に応じた音量増加度合いを指示するコマンドを送信する。
例えば図の実線のように上昇曲線が緩やかなときは音量アップの制御量を２０％、一点鎖線のように中間的な曲率の時は５０％、破線のように急峻な上昇曲線のときは８０％などとする。なお、この場合も％は、各装置のそれぞれの現在の音量レベルを基準としての音量増加率と考えればよい。
【手続補正１３】
【補正対象書類名】明細書
【補正対象項目名】０１６５
【補正方法】変更
【補正の内容】
【０１６５】
ステップＦ５０４で、起点Ｓ１から終点Ｅ１に至る操作軌跡が直線と判断したときは、制御部４１はステップＦ５０５に進み、下降直線又は上昇直線の軌跡が、１つの機器アイコン上であるか否かを確認する。
そして軌跡が或る１つの機器アイコン上である場合は、単装置モードの操作と判断する。この場合、制御部４１は、ステップＦ５０８で下降直線又は上昇直線の軌跡の長さを計測する。そしてステップＦ５０９で、当該機器アイコンに相当する装置を制御対象として、その装置に対しての、下降直線又は上昇直線の軌跡の長さに応じた音量制御量を含む音量ダウンコマンド又は音量アップコマンドを送信する。
【手続補正１４】
【補正対象書類名】明細書
【補正対象項目名】０１７８
【補正方法】変更
【補正の内容】
【０１７８】
ステップＦ６０５で、面積が所定値未満と判断されたら、制御部４１はステップＦ６０６に進み、略○状の軌跡が、１つの機器アイコン上であるか否かを確認する。
そして略○状の軌跡が或る１つの機器アイコン上である場合は、単装置モードの操作と判断し、制御部４１はステップＦ６０８で、当該機器アイコンに相当する装置を制御対象として、その装置に対しての電源オンコマンドを送信出力する。例えば図３４の場合に相当する。
【手続補正１５】
【補正対象書類名】図面
【補正対象項目名】図２
【補正方法】変更
【補正の内容】
【図２】
2011254291.tif 000001
【手続補正１６】
【補正対象書類名】図面
【補正対象項目名】図３
【補正方法】変更
【補正の内容】
【図３】
2011254291.tif 000002
【手続補正１７】
【補正対象書類名】図面
【補正対象項目名】図１７
【補正方法】変更
【補正の内容】
【図１７】
2011254291.tif 000003
【手続補正１８】
【補正対象書類名】図面
【補正対象項目名】図２０
【補正方法】変更
【補正の内容】
【図２０】
2011254291.tif 000004
【手続補正１９】
【補正対象書類名】図面
【補正対象項目名】図３７
【補正方法】変更
【補正の内容】
【図３７】
2011254291.tif 000005